(57)【要約】【課題】撮像を行うときに、過去の撮像情報を用いてユーザに対してどのような移動、撮像行為を行えば良好な写真を撮影できるかを提示することを可能にした撮像装置、サーバ、および通信システムを提供すること。【解決手段】本発明に係る撮像装置は、被写体を撮像する撮像手段と、前記撮像手段による撮像を行おうとするときの撮像条件データをサーバに送る送信手段と、前記サーバ上での検索結果を受け取る受信手段と、前記検索結果に基づいて過去に撮像が高頻度に行われた撮像条件での撮像状態をユーザに提示する撮像状態誘導手段と、を備えていることを特徴とする。【選択図】  図１
2015231166.tif 000002
【特許請求の範囲】
【請求項１】
被写体を撮像する撮像手段と、
前記撮像手段による撮像を行おうとするときの撮像条件データをサーバに送る送信手段と、
前記サーバ上での検索結果を受け取る受信手段と、
前記検索結果に基づいて過去に撮像が高頻度に行われた撮像条件での撮像状態をユーザに提示する撮像状態誘導手段と、
を備えた撮像装置。
【請求項２】
撮像装置の位置を検出する撮像位置検出手段を備え、前記撮像条件データとして撮像装置の撮像位置を前記サーバに対して送信し、サーバから受けとる前記検索結果から、前記過去に撮像が高頻度に行われた撮像条件として、現在位置近傍での過去に撮像が行われた撮像位置情報を取得することを特徴とする請求項１に記載の撮像装置。
【請求項３】
撮像装置の位置を検出する撮像位置検出手段を備え、前記撮像条件データとして撮像装置の撮像位置を前記サーバに対して送信し、サーバから受けとる前記検索結果から、前記過去に撮像が高頻度に行われた撮像条件として、現在位置近傍での過去に撮像が行われた撮像方向情報を取得することを特徴とする請求項１又は請求項２に記載の撮像装置。
【請求項４】
撮像装置の位置を検出する撮像位置検出手段を備え、前記撮像条件データとして撮像装置の撮像位置を前記サーバに対して送信し、サーバから受けとる前記検索結果から、前記過去に撮像が高頻度に行われた撮像条件として、現在位置近傍での過去に撮像が行われた撮像画角情報を取得することを特徴とする請求項１乃至請求項３の何れか一項に記載の撮像装置。
【請求項５】
撮像装置の位置を検出する撮像位置検出手段を備え、前記撮像条件データとして撮像装置の撮像位置を前記サーバに対して送信し、サーバから受けとる前記検索結果から、前記過去に撮像が高頻度に行われた撮像条件として、現在位置近傍での過去に撮像が行われた撮像合焦距離情報を取得することを特徴とする請求項１乃至請求項４の何れか一項に記載の撮像装置。
【請求項６】
画像を表示する表示手段を備え、前記撮像状態誘導手段は前記表示手段上に前記検索結果に基づく撮像頻度を表示し、ユーザに示すことを特徴とする請求項１乃至請求項５の何れか一項に記載の撮像装置。
【請求項７】
画像を表示する表示手段を備え、前記撮像状態誘導手段は前記表示手段上に矢印を表示し、前記過去に高頻度に行われた撮像条件での撮像を行うための操作を矢印に対応させ、ユーザに操作を促すことを特徴とする請求項１乃至請求項６の何れか一項に記載の撮像装置。
【請求項８】
前記撮像装置からユーザに対して振動によって通知を行う振動部を備え、前記撮像状態誘導手段は前記振動部による通知によって、ユーザに指示を出すことを特徴とする請求項１乃至請求項７の何れか一項に記載の撮像装置。
【請求項９】
前記撮像状態誘導手段は前記表示手段上に前記検索結果に基づく撮像頻度に応じて前記振動部の振動量を決定し、その振動量によってユーザに指示を出すことを特徴とする請求項８に記載の撮像装置。
【請求項１０】
前記過去に撮像が高頻度に行われた撮像条件を算出する際に、前記サーバに対して前記サーバ上画像群での画像枚数を元に算出する指示を出すことを特徴とする請求項１乃至請求項９の何れか一項に記載の撮像装置。
【請求項１１】
前記過去に撮像が高頻度に行われた撮像条件を算出する際に、前記サーバに対して前記サーバ上画像群での撮影者数を元に算出する指示を出すことを特徴とする請求項１乃至請求項１０の何れか一項に記載の撮像装置。
【請求項１２】
外部装置からの撮像条件データを受け取る受信手段と、
過去に撮像された画像情報へアクセスする画像情報アクセス手段と、
前記撮像条件データに基づいて過去に撮影された画像情報へ撮像頻度検索をかける撮像頻度検索手段と、
前記撮像頻度検索の検索結果を前記外部装置に送る送信手段、
とを備えたサーバ。
【請求項１３】
前記撮像条件データとして前記外部装置から撮像位置を受信し、前記撮像位置を元に前記画像情報アクセス手段を通じて、前記撮像位置近傍での過去に撮像が行われた撮像位置の検索を行うことを特徴とする請求項１２に記載のサーバ。
【請求項１４】
前記撮像条件データとして前記外部装置から撮像位置を受信し、前記撮像位置を元に前記画像情報アクセス手段を通じて、前記撮像位置近傍での過去に撮像が行われた撮像方向の検索を行うことを特徴とする請求項１２又は請求項１３に記載のサーバ。
【請求項１５】
前記撮像条件データとして前記外部装置から撮像位置を受信し、前記撮像位置を元に前記画像情報アクセス手段を通じて、前記撮像位置近傍での過去に撮像が行われた撮像画角の検索を行うことを特徴とする請求項１２乃至請求項１４の何れか一項に記載のサーバ。
【請求項１６】
前記撮像条件データとして前記外部装置から撮像位置を受信し、前記撮像位置を元に前記画像情報アクセス手段を通じて、前記撮像位置近傍での過去に撮像が行われた撮像合焦距離の検索を行うことを特徴とする請求項１２乃至請求項１５の何れか一項に記載のサーバ。
【請求項１７】
前記撮像頻度検索手段は、前記画像情報アクセス手段によってアクセスできる画像群での画像枚数を元に算出することを特徴とする請求項１２乃至請求項１６の何れか一項に記載のサーバ。
【請求項１８】
前記撮像頻度検索手段は、前記画像情報アクセス手段によってアクセスできる画像群での撮影者数を元に算出することを特徴とする請求項１２乃至請求項１６の何れか一項に記載のサーバ。
【請求項１９】
請求項１乃至請求項１８の何れか一項に記載の上記撮像装置および上記サーバを備えたことを特徴とする撮像支援システム。
【発明の詳細な説明】
【技術分野】
【０００１】
本発明は、撮像装置に関し、特に撮像時にユーザが良好な画像を簡便に撮像できるための技術に関するものである。
【背景技術】
【０００２】
近年ネットワーク技術の発展に伴い、写真撮影時にユーザに対して良好な撮影を促すことを特徴とする発明が提案されている。これらの中で、ＧＰＳなどの測位結果から、撮影時にリアルタイムにその撮影場所に適した支援を行うものが提案されてきている。
【０００３】
特許文献１では、ユーザと撮像装置の存在する位置をサーバに送り、存在する位置の近辺で過去に撮像されたテンプレート画像を検索し、テンプレートが存在する場合はそのテンプレート画像に重ねて自分の撮像を行うという技術が開示されている。
【先行技術文献】
【特許文献】
【０００４】
【特許文献１】特開２００９−２３９３９７号公報
【発明の概要】
【発明が解決しようとする課題】
【０００５】
上述の特許文献に開示された従来技術では、テンプレート画像が存在した場合にどのようにテンプレート画像を使うかについて言及されている。しかしながら、複数のテンプレート画像がある場合、ユーザがどこに移動すれば適切であるかを提示していない。
【０００６】
そこで、本発明の目的は、撮像を行うときに、過去の撮像情報を用いてユーザに対してどのような移動、撮像行為を行えば良好な写真を撮影できるかを提示することを可能にした撮像装置、サーバ、および通信システムを提供することである。
【課題を解決するための手段】
【０００７】
上記目的を達成するために、本発明に係る撮像装置は、被写体を撮像する撮像手段と、
前記撮像手段による撮像を行おうとするときの撮像条件データをサーバに送る送信手段と、前記サーバ上での検索結果を受け取る受信手段と、前記検索結果に基づいて過去に撮像が高頻度に行われた撮像条件での撮像状態をユーザに提示する撮像状態誘導手段と、を備えていることを特徴とする。
【０００８】
また、本発明に係るサーバは、外部装置からの撮像条件データを受け取る受信手段と、過去に撮像された画像情報へアクセスする画像情報アクセス手段と、前記撮像条件データに基づいて過去に撮影された画像情報へ撮像頻度検索をかける撮像頻度検索手段と、前記撮像頻度検索の検索結果を前記外部装置に送る送信手段、とを備えていることを特徴とする。
【０００９】
また、本発明に係る通信システムは、上記撮像装置、上記サーバを備えていることを特徴とする。
【発明の効果】
【００１０】
本発明によれば、過去の撮像情報を用いた検索結果を元に、過去に高頻度で撮像が行われた場所、方向、画角、合焦距離などを提示すことができる。これらの提示によって、ユーザがどのように移動、撮像行為を行えば良好な写真を撮影できるかを判断することができる。
【図面の簡単な説明】
【００１１】
【図１】本発明における撮像装置、サーバによるシステムの概念図。
【図２】本発明における撮像装置、サーバの内部構成を示すブロック図。
【図３】本発明における撮像装置の処理の流れを示すフローチャート。
【図４】本発明におけるサーバの処理の流れを示すフローチャート。
【図５】本発明におけるユーザの動作を示す図。
【図６】本発明における検索対象エリアの説明図。
【図７】本発明における位置誘導モードにおいてのＵＩ画面の例。
【図８】本発明における方向誘導モードにおいてのＵＩ画面の例。
【図９】本発明における画各誘導モードにおいてのＵＩ画面の例。
【図１０】本発明における合焦誘導モードにおいてのＵＩ画面の例。
【図１１】本発明における誘導モードを複合させた場合のＵＩ画面の例。
【発明を実施するための形態】
【００１２】
以下に、本発明の好ましい実施の形態を、添付の図面に基づいて詳細に説明する。
【００１３】
［実施例１］
図１は、本発明の実施形態の概要を示すシステム構成図である。サーバ２００と撮像装置１００が通信を行い、サーバ２００からの検索結果に基づいて撮像装置１００はユーザに対して誘導を行う。ユーザ５１６は、撮像するための地理的な位置、５１７に示す撮像方向、５１８に示す画角などの誘導を受ける。
【００１４】
図２は撮像装置１００、サーバ２００の内部構成を示すブロック図である。まず撮像装置１００の内部の説明を行う。
【００１５】
光学系１０１は撮像のためのレンズ群と、そのレンズを駆動させるアクチュエータ群とからなる。ＣＰＵ１０７からの指示に従い、適切なズーム、フォーカス動作を行うことができる。撮像措置１０２は光学系１０１が結像させた像を電気信号に変換し、撮像データを電子データに変換した上でＣＰＵ１０１に渡す。測位部１０３は撮像装置の地理的な現在の位置を検出することができる。具体的にはＧＰＳなどの技術によるブロックとなる。センサ部１０４は、電子コンパス、加速度センサなどからなる。このセンサ部１０４によって、撮像装置１０１の光軸がどの方向を向いているか、また撮像装置の光軸の仰角が何度であるかを検出することができる。
【００１６】
表示部１０５はユーザに対して指示を与えたり、撮像した写真の確認を行うためのものである。具体的にはＬＣＤなどの表示装置によって実現される。通信装置１０６はサーバ２００と無線通信を行うためのものである。ＣＰＵ１０７は全体の処理を統括する中央制御ユニットであり、基本的にＲＯＭ１０９に格納されているブログラムデータに基づいて動作する。操作部１０８はユーザの操作を受け付けるブロックであり、具体的には撮像装置１００のユーザが触れることのできる部分にあるボタン、レバー、ＬＣＤタッチパネルなどである。ＲＯＭ１０９は撮像装置１００が動作するためのプログラムやパラメータなどのデータが予め書き込まれており、ＣＰＵ１０７は基本的にＲＯＭ１０９の内容に従って動作する。
【００１７】
ＲＡＭ１１０はＣＰＵ１０７が途中演算に使用する一時データを書き込む場所である。記憶媒体１１１は写真データなどのデータを保持する部分であり、具体的にはＳＤカードなどによって構成される。
【００１８】
次にサーバ２００の内部構成について説明する。ＣＰＵ２０１はサーバ全体の動作を統括制御する部分であり、基本的に二次記憶装置２０３に格納されているプログラムに従って動作する。通信装置２０２は撮像装置１００と通信するためのブロックである。二次記憶装置２０３はサーバ全体の動作プログラムを保持すると共に、サーバの処理で算出される長期的に保持すべきデータを保持するためのものである。本実施例では、二時記憶装置２０３に過去に多くのユーザが撮像した大量の写真データも保持しているものとする。ＲＡＭ２０４はサーバの処理中に一時的に保持すべきデータを書き込む場所である。
【００１９】
図３、図４は本実施例における処理の流れを示すフローチャートである。図３は撮像装置１００の処理の流れを示し、図４はサーバ２００の処理の流れを示している。以下、図３、４の処理の流れを中心に、図５以降の図を参照しながら説明を行う。
【００２０】
図３のステップＳ３０１より処理を開始する。ステップＳ３０２において、操作部１０８をユーザが操作することにより、誘導モードに入る。ステップＳ３０３において、ユーザが操作部１０５を操作して位置誘導モードに切り替えられた場合、ステップＳ３０４に移行する。ステップＳ３０３において位置誘導モードへの切り替えが行われなかった場合、位置誘導モードでの誘導動作を行わず、ステップＳ３０８に移行する。
【００２１】
ステップＳ３０４に移行した場合、サーバ２００に対して撮像装置１００の地理的な現在位置情報を送信する。サーバ２００に対して情報の送信を行ったことから、ここで一旦サーバ２００の処理の説明に移る。
【００２２】
サーバ２００の処理は図４（ａ）、ステップＳ４０１から開始される。ステップＳ４０２に移り、ここで撮像装置１００からの情報受信がないかの確認を行う。受信が無い限り特定の処理は行わず、撮像装置１００からの受信を待ちつづける動作となる。ステップＳ４０２において撮像装置１００からの情報受信を検知した場合、撮像装置１００からの送られた情報の種別を確認する（ステップＳ４０３）。この情報の種別によって、ステップＳ４０４で行われる処理が変化する。具体的には図４の（ｂ）、（ｃ）、（ｄ）、（ｅ）の処理が、撮像装置１００から送られた情報の種別に対応してステップＳ４０４中で行われることになる。この後、ステップＳ４０４で行われた処理に応じて撮像装置１００に対して処理結果の情報を送信する（ステップＳ４０５）。
【００２３】
さて、ここで撮像装置１００からステップＳ３０４において撮像装置１００の位置を示すＧＰＳ情報がサーバ２００に送られた。サーバ２００では情報の受信を検知し（ステップＳ４０２）、送られた情報が撮像装置１００の位置情報のみであることから、行うべき処理を図４の（ｂ）で示す位置誘導であることを判定する（ステップＳ４０３）。次に図４（ｂ）の処理が行われることから、ステップＳ４０６に移り、ついでステップＳ４０７に移る。
【００２４】
ここで、図６（ａ）に円で示す検索範囲内で、二時記憶装置２０３内に保持されている過去に撮影された画像を検索する（ステップＳ４０７）。図６中ではユーザ６０１を中心に一定半径の円が検索範囲となっている。この検索半径はＧＰＳ情報送信時に撮像装置１００から同時に送信してもよいし、サーバ２００内で設定されている既定値を用いるやり方でも良い。また、本実施例では検索範囲を円としたが、これが正方形や長方形、その他の多角形などの形であっても良い。次に検索エリア内で予め設定された分割エリア毎の過去撮影画像枚数を算出する（ステップＳ４０８）。
【００２５】
図６においては検索範囲の円内において一定の大きさの正方形によって位置エリアの分割を行い、分割された位置エリア６０２〜６１０それぞれの画像枚数を算出する。この位置エリアの分割の細かさは検索範囲と同様に撮像装置１００から送信するようにしても、サーバ２００で既定値を持っていても良い。その他、正方形以外の分割の仕方を用いても良い。
【００２６】
次に、ステップＳ４０８で算出された結果から、検索範囲内の分割位置エリア中で、過去に最大枚数の撮影が行われた分割位置エリアの位置。および撮像装置１００が現在存在している分割エリアでの過去に行われた撮像枚数を撮像装置１００に送信する情報としてセットする（ステップＳ４０９）。以上で位置誘導に関する特殊処理を終え（スタップＳ４１１）、ステップＳ４０５に移行する。ステップＳ４０５においては、ステップＳ４０９においてセットされた情報を撮像装置１００に送信する。
【００２７】
以上で一旦サーバ２００の処理説明を終え、撮像装置１００の処理に戻る。ステップＳ３０５においては撮像装置１００が、ステップＳ４０５においてサーバ２００から送信された情報を受信する。続くステップＳ３０６においては、サーバ２００からの情報を元に表示部１０５を通じてユーザに対して誘導を行う。
【００２８】
図７はステップＳ３０６における表示部１０５上の表示例である。サーバ２００から送られてきた過去撮像枚数の一番多い分割位置エリアにユーザを誘導しようと、矢印７０１〜７０３を表示する。センサ部１０４によって撮像装置１００の光軸向き、測位部１０３によって現在位置が分かるので、その２つの情報を元に目的とする分割位置エリアへの誘導を行うことができる。例えばユーザに対して左旋回を促す場合矢印７０１を表示、右旋回を促す場合は矢印７０３を表示、前進を促す場合は矢印７０２を表示する。検索範囲内において、現在存在している分割位置エリア内での過去撮像枚数が一番多い場合は矢印の表示は行わない。これらの矢印の表示と同時に現在撮像装置１００が存在している分割位置エリア内での過去撮像枚数も７０４のように表示する。
【００２９】
以上、ステップＳ３０４〜ステップＳ３０６の動作を、ステップＳ３０７において位置誘導モードの終了をユーザが行うまで繰り返す。ユーザは現在位置を変えながら、表示部１０５に表示される情報を見、過去撮影枚数の多い人気のある撮像スポットを用意に発見することができる。本実施例では、図５（ａ）５０１の位置から５０２の位置までユーザが移動したものとする。
【００３０】
ユーザが位置誘導モードを終了し（ステップＳ３０７）、続くステップＳ３０８において方向誘導モードへの切り替えを行った場合、ステップＳ３０９に移る。ステップＳ３０８において方向誘導モードへの切り替えを行わなかった場合、ステップＳ３１３に移る。
【００３１】
ステップＳ３０９においては、サーバ２００に対して撮像装置１００が現在の測位部１０３によって得られる地理的位置情報、センサ部１０４によって得られる光軸の方角方向情報、仰角情報を送信する。
【００３２】
ここで情報を受信したサーバ２００の処理説明に移る。サーバ２００における情報送受信の大枠のフローはステップＳ４０１〜Ｓ４０５において共通であり、前述されているので詳細は省略する。方向誘導モードでの個別処理は図４（ｃ）のフローとなる。方向誘導の個別処理はステップＳ４１２より開始され、続くステップＳ４１３において、現在撮像装置が所属する分割位置エリア内での過去撮像画像を検索する。本実施例においては、撮像位置５０２が所属する、前述の位置誘導モードにおける分割位置エリアの大きさの範囲内で過去に撮影された撮像画像を検索することになる。
【００３３】
続いて、ステップＳ４１３において検索された結果の全画像が、分割された方向エリア毎のどの方向エリアで撮像されたかを検索し、各分割方向エリア毎に何枚の過去撮像画像があるのかを算出する（ステップＳ４１４）。分割方向エリアの概要を図６（ｂ）に示す。
【００３４】
図６（ｂ）においてはユーザ６１８を中心に３６０度を８等分にした４５度ずつの方向エリアに分割している。この分割角度の設定は、撮像装置１００が情報送信時に同時に送っても良いし、サーバ２００側で既定値を保持しておいてそれを使用しても良い。各分割方向エリアを６１９〜６２６とし、撮像装置が現在所属する位置エリア内の全過去画像がそれぞれ、各方向エリアに所属する方向に向けて撮影されたかを検索し、分割方向エリア６１９〜６２６それぞれの枚数を算出する。
【００３５】
なお、図６では簡便のため地平方向の方向分割の説明のみとなっているが、仰角方向の分割方向エリアも既定し、地平方向のエリアと総合して三次元的な分割方向エリアの分割を行う。続くＳ４１５では過去撮像枚数が最大である分割方向エリアと、現在所属する分割方向エリアでの過去撮像枚数とを、撮像装置１００への送信情報としてセットする。
【００３６】
撮像装置１００の処理フローに戻る。サーバからの情報を受信し（ステップＳ３１０）、続いて表示部１０５を通じて撮像装置１００はユーザに撮像方向の誘導を行う。
【００３７】
ここで位置誘導モードにおいてまず最初に、図５（ｂ）の矢印５０３で示す方向を撮像装置１００の光軸が向いていたとする。このときの表示部１０５の表示を図８（ａ）に示す。図５（ｂ）において矢印５０５に示す方向が所属する分割方向エリアが、一番過去撮影枚数の多い分割方向エリアとする。ステップＳ３１１では、図８（ａ）に示すように、サーバ２００からの情報を元に、現在撮像装置１００の光軸が向いている方向が所属する分割方向エリアでの過去撮影枚数を８０１に表示する。また、矢印５０５の方向へユーザを誘導するため、矢印８０２を表示して右方向への旋回をユーザに促す。
【００３８】
ここで、右旋回が矢印５０６で示すように、矢印５０４の方向まで行き過ぎたとする。この場合もステップＳ３０９〜Ｓ３１１の処理を繰り返すことにより、図８（ｂ）に示す表示が行われ、現在の光軸方向の所属する分割方向エリアでの過去撮像枚数と、左旋回を促す矢印８０４の表示が行われる。この後、矢印５０７で示す左旋回を行い、矢印５０５の方向を向いたものとする。このとき所属する分割方向エリアは全分割方向エリア中で一番過去撮像画像が多いものであることから、図８（ｃ）のように表示部１０５に旋回を促す矢印は表示されない。過去撮像枚数のみ表示される。
【００３９】
以上の処理により、ある位置において人気のある撮像方向を容易に知ることができる。仰角まで考えた分割方向エリアでの方向誘導を行う場合、図５（ｄ）に示すように地平方向の誘導矢印８０６、８０７だけでなく、仰角方向の誘導矢印８０８、８０９も用いることになる。
【００４０】
さて、方向を変化させながらステップＳ３０９〜Ｓ３１１を繰り返し、満足する状態になったところで、ユーザが方向誘導モードの終了操作を行い、ステップＳ３１３へ移る。
【００４１】
ステップＳ３１３においては、画角誘導モードへの遷移をユーザが操作部１０８を操作して指示したかどうかを判定し、指示があった場合、ステップＳ３１４に移る。指示が無かった場合はステップＳ３１８に移る。
【００４２】
ステップＳ３１４において、サーバ２００に対して撮像装置１００が現在の測位部１０３によって得られる地理的位置情報、センサ部１０４によって得られる光軸の方角方向情報、仰角情報、および光学系１０１内のズームレンズ位置から決定される画角情報を送信する。
【００４３】
ここで情報を受信したサーバ２００の処理説明に移る。サーバ２００における情報送受信の大枠のフローはステップＳ４０１〜Ｓ４０５において共通であり、前述されているので詳細は省略する。方向誘導モードでの個別処理は図４（ｄ）のフローとなる。画角誘導の個別処理はステップＳ４１７より開始され、続くステップＳ４１８において、現在撮像装置１００が所属する分割位置エリア内で過去に撮像され、かつ現在撮像装置１００が所属する分割方向エリア内で過去に撮像された画像を検索する。
【００４４】
本実施例においては、撮像位置５０２が所属する、前述の位置誘導モードにおける分割位置エリアの大きさの範囲内で過去に撮像された画像のうちで、矢印５０５で示す方向が所属する分割方向エリアを向いて撮像された画像を検索することになる。続いて、検索された結果の全画像が、分割された画角エリア毎のどの画角エリアで撮像されたかを検索し、各分割画角エリア毎に何枚の過去撮像画像があるのかを算出する（ステップＳ４１９）。分割画角エリアの概要を図６（ｃ）に示す。
【００４５】
図６（ｃ）においてはユーザ６２７は図中上向きに撮像装置を向けているものとする。本実施例ではこのとき、角度６２８〜６３１の４つの角度で画角を示し、角度６２８〜６２９までの画角を画角エリア６３２、角度６２９〜６３０までの画角を画角エリア６３３、角度６３０〜６３１までの画角を画角エリア６３４、角度６３１より小さい角度の画角を画角エリア６３５としている。この分割画角エリアの設定は、撮像装置１００が情報送信時に同時に送っても良いし、サーバ２００側で既定値を保持しておいてそれを使用しても良い。
【００４６】
撮像装置が現在所属する位置エリア内で、かつ現在所属する方向エリア内でもあるという条件での全過去撮像画像をステップＳ４１８で既に検索している。この検索結果画像がそれぞれ、どの分割画角エリアに所属するかを検索し、分割画角エリア６３２〜６３５それぞれでの枚数を算出する。続くＳ４２０では過去撮像枚数が最大である分割画角エリアと、現在所属する分割画角エリアでの過去撮像枚数とを、撮像装置１００への送信情報としてセットする。
【００４７】
撮像装置１００の処理フローに戻る。サーバ２００からの情報を受信し（ステップＳ３１５）、続いて表示部１０５を通じて撮像装置１００はユーザに撮像画角の誘導を行う。
【００４８】
ここで画角誘導モードにおいてまず最初に、図５（ｃ）の矢印５０５の方向を向いた上で、範囲５０８、角度５１１で示す画角状態を撮像装置１００がとっているとする。このときの表示部１０５の表示を図９（ａ）に示す。図５（ｃ）において範囲５０９の画角、角度で言うと角度５１２の画角が所属する分割画角エリアが、一番過去撮像枚数の多い分割画角エリアとする。ステップＳ３１６では、図９（ａ）に示すように、サーバ２００からの情報を元に、現在撮像装置１００の現在画角が所属する分割画角エリアでの過去撮影枚数を９０２に表示する。
【００４９】
また、一番過去撮像枚数の多い前述の分割画角エリアへユーザを誘導するため、矢印９０１を表示してズームインさせる向きに画角を操作するようユーザに促す。ここで、ズームイン動作が、範囲５１０、角度５１３の画角まで行き過ぎたとする。この場合もステップＳ３１４〜Ｓ３１６の処理を繰り返すことにより、図９（ｂ）に示す表示が行われ、現在の画角の所属する分割画角エリアでの過去撮像枚数を表す過去撮像枚数表示９０４と、ズームアウトを促す矢印９０３の表示が行われる。
【００５０】
この後、矢印９０３で示すズームアウト動作を行い、範囲５０９、角度５１２で示す画角になったものとする。このとき所属する分割画角エリアは全分割画角エリア中で一番過去撮像画像が多いものであることから、図９（ｃ）のように表示部１０５にズーム動作を促す矢印は表示されない。過去撮像枚数表示９０５のみ表示される。以上の処理により、ある位置、ある方向において、人気のある撮像画角を容易に知ることができる。
【００５１】
ユーザが画角誘導モードを終了（ステップＳ３１７）すると、ステップＳ３１８に移る。ステップＳ３１８においては、合焦誘導モードへの遷移をユーザが操作部１０８を操作して指示したかどうかを判定し、指示があった場合、ステップＳ３１９に移る。指示が無かった場合はステップＳ３２３に移る。
【００５２】
ステップＳ３１９において、サーバ２００に対して撮像装置１００が現在の測位部１０３によって得られる地理的位置情報、センサ部１０４によって得られる光軸の方角方向情報、仰角情報、光学系１０１内のズームレンズ位置から決定される画角情報、および光学系１０１内のフォーカスレンズ位置から決定される合焦距離情報を送信する。
【００５３】
ここで情報を受信したサーバ２００の処理説明に移る。サーバ２００における情報送受信の大枠のフローはステップＳ４０１〜Ｓ４０５において共通であり、前述されているので詳細は省略する。方向誘導モードでの個別処理は図４（ｅ）のフローとなる。合焦誘導の個別処理はステップＳ４２２より開始され、続くステップＳ４２３において、現在撮像装置１００が所属する分割位置エリア内で過去に撮像され、かつ現在撮像装置１００が所属する分割方向エリア内で過去に撮像され、かつ撮像装置１００が所属する分割画角内で過去に撮像された画像を検索する。
【００５４】
本実施例においては、撮像位置５０２が所属する、前述の位置誘導モードにおける分割位置エリアの大きさの範囲内で過去に撮像された画像のうちで、矢印５０５で示す方向が所属する分割方向エリアを向いて撮像された画像であり、かつ現在撮像装置１００の画角状態が所属する分割画角エリアで撮像された画像を検索することになる。続いて、検索された結果の全画像が、分割された合焦エリア毎のどの合焦エリアで撮像されたかを検索し、各分割合焦エリア毎に何枚の過去撮像画像があるのかを算出する（ステップＳ４２４）。分割合焦エリアの概要を図６（ｄ）に示す。
【００５５】
図６（ｄ）においては、撮像装置のフォーカスレンズ位置による合焦距離によって、分割合焦エリア６３７〜６４１の５つのエリアを示している。範囲６４２は撮像装置１００の現在の画角を示している。この分割合焦エリアの設定は、撮像装置１００が情報送信時に同時に送っても良いし、サーバ２００側で既定値を保持しておいてそれを使用しても良い。撮像装置１００が現在所属する位置エリア内で、かつ現在所属する方向エリア内でもあり、かつ現在所属するが角エリア内でもあるという条件での全過去撮像画像をステップＳ４２３で既に検索している。この検索結果画像がそれぞれ、どの分割合焦エリアに所属するかを検索し、分割合焦エリア６３７〜６４１それぞれでの枚数を算出する。続くＳ４２５では過去撮像枚数が最大である分割合焦エリアと、現在所属する分割合焦エリアでの過去撮像枚数とを、撮像装置１００への送信情報としてセットする。
【００５６】
撮像装置１００の処理フローに戻る。サーバ２００からの情報を受信し（ステップＳ３２０）、続いて表示部１０５を通じて撮像装置１００はユーザに撮像合焦距離の誘導を行う。
【００５７】
図５（ｄ）中での合焦距離５１４、５１５は、それぞれ撮像装置１００が合焦させている対象距離がどれほどであるかを表す。図１０中の矢印１００１、１００２はそれぞれ合焦距離の誘導をユーザに促す際の矢印である。矢印１００１は合焦距離を近づけることを促し、矢印１００２は合焦距離を遠くへ伸ばすことを促している。１００３は撮像装置１００の現在の合焦距離が所属する分割合焦エリア中で過去に撮像された写真枚数が表示されている。合焦誘導モードにおいても、画角誘導モードと同様にステップＳ３１９〜ステップＳ３２１を繰り返す。この動作により、ある位置、ある方向、ある画角においての、人気のある撮像合焦距離を容易に知ることができる。
【００５８】
合焦誘導モードを終了する操作をステップＳ３２２においてユーザが行った場合、ステップＳ３２３に移る。ステップＳ３２３においてユーザが操作部１０８を操作して撮像動作を行った場合、写真を撮像し、撮像された画像情報がＣＰＵ１０７を会して記憶媒体１１１に保存され、全体の処理を終了する（ステップＳ３２４）。ステップＳ３２３において撮像動作を行わない場合、ステップＳ３０３に戻り、各誘導モードの所望のモードを使用して、さらによりよい構図、合焦距離を求める操作をユーザは行うことになる。
【００５９】
以上実施例で示した方法により、撮像装置１００を使用しながらユーザは過去に撮像された写真データをもとに、より良い構図、合焦距離での画像撮影を容易に行うことができる。
【００６０】
本実施例に置いてはズーム、フォーカス動作を、誘導動作にしたがってユーザがマニュアルで操作するようにしたが、サーバ２００の検索結果から、過去撮像画像枚数が一番多いズーム位置、フォーカス位置に自動で調整されるようにして良い。
【００６１】
また、本実施例ではサーバ２００において分割エリア毎の撮像枚数検索等の処理を行わせ、その結果のみを撮像装置１００に送信しているが、これらの処理を撮像装置１００側で行うようにしても良い。また図３、図４で示した撮像装置１００側で行う処理、サーバ２００側で行う処理を、システム全体の処理パワーを鑑みて割り振り直すようにしても良い。
【００６２】
また、本実施例では、過去撮像枚数が一番多いことで判定を行っているが、過去画像情報の、撮影者数の多寡で判定を行っても良い。また、判定を行うときに撮像される季節や時間帯、その他の撮像時の情報を用いて重み付けを用いた判定を行っても良い。
【００６３】
また、本実施例では、人数表示を目安としてユーザに対して撮像状態の決定を促したが、撮像装置１００が振動し、その振動の大きさなどによって撮像状態の決定を促すようにしても良い。
【００６４】
また、本実施例では、矢印によってユーザに誘導を行ったが、図５に示すような地図が表示部１０５に現れ、地図上で具体的に誘導する形にしても良い。
【００６５】
以上、本発明の好ましい実施形態について説明したが、本発明は上記実施形態に限定されず、その要旨の範囲内で種々の変形及び変更が可能である。
【符号の説明】
【００６６】
１００  撮像装置、１０１  光学系、１０２  撮像素子、１０３  測位部、
１０４  センサ部、１０５  表示部、１０６  通信装置、１０７  ＣＰＵ、
１０８  操作部、１０９  ＲＯＭ、１１０  ＲＡＭ、１１１  記憶媒体、
２００  サーバ、２０１  ＣＰＵ、２０２  通信装置、２０３  二次記憶装置、
２０４  ＲＡＭ
【図２】
2015231166.tif 000003
【図１】
2015231166.tif 000004
【図３】
2015231166.tif 000005
【図４】
2015231166.tif 000006
【図５】
2015231166.tif 000007
【図６】
2015231166.tif 000008
【図７】
2015231166.tif 000009
【図８】
2015231166.tif 000010
【図９】
2015231166.tif 000011
【図１０】
2015231166.tif 000012
【図１１】
2015231166.tif 000013